(57)【要約】【課題】  注入路の開閉機能を損なうことなく、注入路の長さを、その先端が流体輸送用管の内径に応じた適切な深さで流体輸送用管内に入り込むように調節できるようにする。【解決手段】  薬液の注入路３を、その先端が管径方向から流体輸送用管Ｂ内に入り込むように、その流体輸送用管に接続可能に設けるとともに、薬液の供給管５を注入路に対して連通接続可能な接続路６と、注入路内での注入路長手方向に沿う移動でその周面に付着している付着物を掻き取り自在な掻き取り具と、掻き取り具を管外側から移動操作自在な操作具の挿通路９とを設けてある薬液注入装置であって、注入路が接続路に連通する第１状態と、注入路が挿通路に同芯状に連通する第２状態とに管外側から択一的に切換操作自在な切換手段１１を設けてある。【選択図】        図３
2005238020.tif 000002
【特許請求の範囲】
【請求項１】
薬液の注入路を、その先端が管径方向から流体輸送用管内に入り込むように、その流体輸送用管に接続可能に設けるとともに、
薬液の供給管を前記注入路に対して連通接続可能な接続路と、前記注入路内での注入路長手方向に沿う移動でその周面に付着している付着物を掻き取り自在な掻き取り具と、前記掻き取り具を管外側から移動操作自在な操作具の挿通路とを設けてある薬液注入装置であって、
前記注入路が前記接続路に連通する第１状態と、前記注入路が前記挿通路に同芯状に連通する第２状態とに管外側から択一的に切換操作自在な切換手段を設けてある薬液注入装置。
【請求項２】
前記切換手段を構成するに、
軸状弁体を管外側から軸方向に移動操作自在に嵌合する嵌合孔の内周面に、前記注入路と前記接続路と前記挿通路とを開口させるとともに、前記注入路と前記接続路とを連通可能な第１連通路と、前記注入路と前記挿通路とを同芯状に連通可能な第２連通路とを前記軸状弁体に形成して、
前記軸状弁体の移動操作で、前記第１状態と前記第２状態とに切換操作自在に構成してある請求項１記載の薬液注入装置。
【請求項３】
前記軸状弁体を、前記第１状態に切り換えるに伴って前記第２連通路が前記嵌合孔の外方に露出し、前記第２状態に切り換えるに伴って前記第１連通路が前記嵌合孔の外方に露出するように設けてある請求項２記載の薬液注入装置。
【請求項４】
前記軸状弁体を、前記注入路と前記接続路と前記挿通路とをその外周面で塞ぎ、かつ、前記第１連通路と前記第２連通路との双方が前記嵌合孔の外方に露出する状態に切換可能に設けてある請求項２又は３記載の薬液注入装置。
【請求項５】
前記切換手段を構成するに、
回転操作式の弁体を管外側から回転操作自在に装着する弁体装着孔の内周面に、前記注入路と前記接続路と前記挿通路とを開口させるとともに、前記注入路と前記接続路とを連通可能な第１連通路と、前記注入路と前記挿通路とを同芯状に連通可能な第２連通路とを前記弁体に形成して、
前記弁体の回転操作で、前記第１状態と前記第２状態とに切換操作自在に構成してある請求項１記載の薬液注入装置。
【発明の詳細な説明】
【技術分野】
【０００１】
本発明は、薬液の注入路を、その先端が管径方向から流体輸送用管内に入り込むように、その流体輸送用管に接続可能に設けるとともに、薬液の供給管を前記注入路に対して連通接続可能な接続路と、前記注入路内での注入路長手方向に沿う移動でその周面に付着している付着物を掻き取り自在な掻き取り具と、前記掻き取り具を管外側から移動操作自在な操作具の挿通路とを設けてある薬液注入装置に関する。
【背景技術】
【０００２】
上記薬液注入装置は、流体輸送用管内を流れるプールの水や空調用の水，冷却用の水、ボイラー水，海水などの管内流体に、殺菌剤や防蝕剤，脱酸素剤，防藻剤などの薬液を注入するために使用されており、薬液を管内流体に効果的に分散させながら注入できるように、薬液の注入路をその先端が管径方向から流体輸送用管内に入り込むように接続可能に設けるとともに、薬液と管内流体とが反応して生成した生成物が薬液の注入路内に析出してその周面に付着すると薬液の注入に支障が生じるので、それらの付着物を注入路の略全長に亘って除去できるように、注入路内での注入路長手方向に沿う移動でその周面に付着している付着物を掻き取り自在な掻き取り具を設け、注入路を流体輸送用管から取り外すことなく付着物を必要に応じて掻き取ることができるように、掻き取り具を管外側から移動操作自在な操作具の挿通路を設けてある。
従来の上記薬液注入装置は、薬液の供給管と接続路との接続部を保守点検したいような場合に、供給管を接続路から外しても、管内流体の接続路からの漏れ出しを防止できるように、注入路を開閉可能な弁体を掻き取り具に一体形成し、付着物を注入路の略全長に亘って除去できるように、弁体の弁座を注入路の先端近くに形成して、操作具による掻き取り具の移動操作で注入路を開閉自在に設けている（例えば、特許文献１参照）。
【０００３】
【特許文献１】特開２００２−１２６４９１号公報
【発明の開示】
【発明が解決しようとする課題】
【０００４】
このため、注入路の先端側を切除して、注入路の長さを、その先端が流体輸送用管の内径に応じた適切な深さで流体輸送用管内に入り込むように調節すると、注入路の先端近くに形成してある弁座の機能を損なって、注入路を開閉できなくなるおそれがあるので、流体輸送用管の内径ごとに対応する適切な長さの注入路を備えた薬液注入装置を製作しておく必要があり、製作コストが高くなる欠点がある。
本発明は上記実情に鑑みてなされたものであって、注入路の開閉機能を損なうことなく、注入路の長さを、その先端が流体輸送用管の内径に応じた適切な深さで流体輸送用管内に入り込むように調節できるようにすることを目的とする。
【課題を解決するための手段】
【０００５】
本発明の第１特徴構成は、薬液の注入路を、その先端が管径方向から流体輸送用管内に入り込むように、その流体輸送用管に接続可能に設けるとともに、薬液の供給管を前記注入路に対して連通接続可能な接続路と、前記注入路内での注入路長手方向に沿う移動でその周面に付着している付着物を掻き取り自在な掻き取り具と、前記掻き取り具を管外側から移動操作自在な操作具の挿通路とを設けてある薬液注入装置であって、前記注入路が前記接続路に連通する第１状態と、前記注入路が前記挿通路に同芯状に連通する第２状態とに管外側から択一的に切換操作自在な切換手段を設けてある点にある。
【０００６】
〔作用及び効果〕
注入路が接続路に連通する第１状態と、注入路が挿通路に同芯状に連通する第２状態とに管外側から択一的に切換操作自在な切換手段を設けてあるので、注入路の開閉機能を損なうことなく、注入路の先端側を切除して、注入路の長さを、その先端が流体輸送用管の内径に応じた適切な深さで流体輸送用管内に入り込むように調節できる。
【０００７】
本発明の第２特徴構成は、前記切換手段を構成するに、軸状弁体を管外側から軸方向に移動操作自在に嵌合する嵌合孔の内周面に、前記注入路と前記接続路と前記挿通路とを開口させるとともに、前記注入路と前記接続路とを連通可能な第１連通路と、前記注入路と前記挿通路とを同芯状に連通可能な第２連通路とを前記軸状弁体に形成して、前記軸状弁体の移動操作で、前記第１状態と前記第２状態とに切換操作自在に構成してある点にある。
【０００８】
〔作用及び効果〕
軸状弁体を管外側から軸方向の一方に移動させる移動操作で、注入路と接続路とが第１連通路を介して連通する第１状態に切換操作することができ、また、軸状弁体を管外側から軸方向の他方に移動させる移動操作で、注入路と挿通路とが第２連通路を介して同芯状に連通する第２状態に切換操作することができるので、ボール弁などの弁体の回転操作で第１状態と第２状態とに切換操作する場合に比べて、軸状弁体を押し引きする単純な切換動作で狭い場所でも簡便に切換操作することができる。
【０００９】
本発明の第３特徴構成は、前記軸状弁体を、前記第１状態に切り換えるに伴って前記第２連通路が前記嵌合孔の外方に露出し、前記第２状態に切り換えるに伴って前記第１連通路が前記嵌合孔の外方に露出するように設けてある点にある。
【００１０】
〔作用及び効果〕
薬液を注入可能な第１状態に切り換えるに伴って、軸状弁体の第２連通路が嵌合孔の外方に露出し、注入路の周面に付着している付着物を掻き取り具で掻き取り可能な第２状態に切り換えるに伴って、軸状弁体の第１連通路が嵌合孔の外方に露出するので、弁体を弁箱から取り出すような作業を伴うことなく、薬液を注入しながらでも第２連通路に付着している付着物を除去することができるとともに、注入路の周面に付着している付着物を掻き取る時には、第１連通路に付着している付着物も除去することができ、第１連通路や第２連通路のメンテナンスを容易に実施することができる。
【００１１】
本発明の第４特徴構成は、前記軸状弁体を、前記注入路と前記接続路と前記挿通路とをその外周面で塞ぎ、かつ、前記第１連通路と前記第２連通路との双方が前記嵌合孔の外方に露出する状態に切換可能に設けてある点にある。
【００１２】
〔作用及び効果〕
軸状弁体を、注入路と接続路と挿通路とをその外周面で塞ぎ、かつ、第１連通路と第２連通路との双方が嵌合孔の外方に露出する状態に切換可能に設けてあるので、薬液も管内流体も漏れ出さないように、注入路と接続路と挿通路とを軸状弁体の外周面で塞いだ状態で、第１連通路と第２連通路との双方を嵌合孔の外方に露出させて、第１連通路や第２連通路に付着している付着物を除去するなどのメンテナンス作業を、注入路に付着している付着物を掻き取り具で掻き取る作業に特に関連させること無く、簡便に実施することができる。
【００１３】
本発明の第５特徴構成は、前記切換手段を構成するに、回転操作式の弁体を管外側から回転操作自在に装着する弁体装着孔の内周面に、前記注入路と前記接続路と前記挿通路とを開口させるとともに、前記注入路と前記接続路とを連通可能な第１連通路と、前記注入路と前記挿通路とを同芯状に連通可能な第２連通路とを前記弁体に形成して、前記弁体の回転操作で、前記第１状態と前記第２状態とに切換操作自在に構成してある点にある。
【００１４】
〔作用及び効果〕
弁体の回転操作で、注入路と接続路とが第１連通路を介して連通する第１状態と、注入路と挿通路とが第２連通路を介して同芯状に連通する第２状態とに切換操作することができるので、軸方向に移動操作自在な軸状弁体で第１状態と第２状態とに切換操作自在に設ける場合に比べて、弁体をコンパクトに組み付けることができる。
【発明を実施するための最良の形態】
【００１５】
以下に本発明の実施の形態を図面に基づいて説明する。
〔第１実施形態〕
図１，図２は、本発明に係る薬液注入装置Ａを示し、硬質塩化ビニル樹脂製のハウジング１に筒部２を一体形成して、その内側を断面円形の薬液の注入路３に構成し、筒部２の基部に設けた雄ネジ部４を、プールの水を濾過装置などに亘って循環させる循環パイプ（流体輸送用管の一例）Ｂの管壁にねじ込んで、注入路３を、その先端が循環パイプＢ内に管径方向から入り込むように、循環パイプＢに接続可能に設けてある。
【００１６】
図３，図４は、筒部２の先端側を切除して、注入路３の長さを、その先端が、循環パイプＢの内径に応じて、管径方向の略中心位置で管内に連通する適切な深さで循環パイプＢ内に入り込むように調節して、ハウジング１を循環パイプＢに接続固定してある薬液注入装置Ａを示し、注入路３に連通接続した薬液の供給管５から供給した殺菌用の薬液を、その注入路３を通して循環パイプＢ内に注入して、循環パイプＢ内の水を殺菌或いは減菌できるように構成してある。
【００１７】
前記ハウジング１は、供給管５を注入路３に対して連通接続可能な接続路６と、掻き取り具７を管外側から往復移動操作自在な操作具８の挿通路９とを設けるとともに、注入路３内での注入路長手方向に沿う移動でその周面に付着している付着物を掻き取り自在な掻き取り具７を、挿通路９を通して注入路３内に挿抜自在に設け、供給管５を接続路６に対して着脱自在に接続する接続具１０を着脱自在にねじ込み固定してある。
【００１８】
そして、注入路３と挿通路９とを同じ内径で同芯状に形成するとともに、接続路６を注入路３に対して直交する方向に形成して、図３に示すように、注入路３が接続路６に連通する第１状態と、図４に示すように、注入路３が挿通路９に同芯状に連通する第２状態とに管外側から択一的に切換操作自在な切換手段１１を設けてある。
【００１９】
前記切換手段１１は、四角柱状の軸状弁体１２を管外側から軸方向に移動操作自在に嵌合する横断面が四角形の嵌合孔１３をハウジング１に形成し、その嵌合孔１３の径方向に沿わせて形成してある注入路３と接続路６と挿通路９とを嵌合孔１３の内周面に開口させるとともに、注入路３と接続路６とを連通可能なＬ字状の第１連通路１４と、注入路３と挿通路９とを同芯状に連通可能で、かつ、注入路３及び挿通路９と同径の直線状の第２連通路１５とを軸状弁体１２に貫通形成して、軸状弁体１２のハウジング１に対する回転を阻止しながら、その軸方向への移動操作で、第１状態と第２状態とに切換操作自在に構成してある。
【００２０】
前記軸状弁体１２は、その両端にフランジ１７ａ，１７ｂを設けて、ゴム製シールリング１６を挟んで嵌合孔１３に対して抜け止め状態で嵌合してあり、図５に示すように、一端側のフランジ１７ａがハウジング１に接当する弁体移動範囲の一端側に軸方向に移動させることにより、注入路３と接続路６とが第１連通路１４を介してＬ字状に連通する第１状態に切り換わり、図６に示すように、他端側のフランジ１７ｂがハウジング１に接当する弁体移動範囲の他端側に軸方向に移動させることにより、注入路３と挿通路９とが第２連通路１５を介して同芯状に連通する第２状態に切り換わるように構成してある。
【００２１】
また、軸状弁体１２は、図５に示すように、第１状態に切り換えるに伴って第２連通路１５が嵌合孔１３の外方、つまり、ハウジング１の外側に露出し、図６に示すように、第２状態に切り換えるに伴って第１連通路１４が嵌合孔１３の外方に露出し、また、図２に示すように、注入路３と接続路６と挿通路９とをその外周面で塞ぎ、かつ、第１連通路１４と第２連通路１５との双方が嵌合孔１３の外方に露出する状態にも切換可能に設けてある。
【００２２】
前記掻き取り具７は、握り部１８を基部側に備えた注入路３の内径と略同径の円柱状のチタン合金製軸部材１９の先端に軸方向に対して略直角の先端面を形成して、挿通路３を通して挿通した軸部材１９を注入路３の周面に沿って往復摺接移動させることにより、軸部材１９の外周面と先端面とが交叉する角部で周面に付着している付着物を掻き取ることができるように構成して、軸部材１９を、掻き取り具７を注入路３の全長に亘って管外側から、つまり、ハウジング１の外側から往復移動操作自在な操作具８に構成してある。
【００２３】
また、挿通路９のハウジング外側に臨む端部を大径に形成してグランドパッキン２０を装着するとともに、その押さえ具２１をハウジング１に螺着固定し、軸部材１９を挿入しないときには、プラグ２２を押さえ具２１に形成した雌ネジ部２３にねじ込んで、挿通路９を通した薬液や循環パイプＢ内の水の漏れ出しを確実に阻止できるように構成してある。
【００２４】
前記接続具１０は、図３，図４に示すように、締め付けリング２４で供給管５を着脱自在に締め付け固定できるようにしてあり、循環パイプＢ内の水の供給管５側への逆流を阻止する逆止弁２５を設けて、注入路３と接続路６とが連通している第１状態に切り換えたままで供給管５を外しても、循環パイプＢ内の水が漏れ出さないように構成してある。
【００２５】
従って、薬液を循環パイプＢ内に注入するときは、図３，図５に示すように、挿入路９をプラグ２２で塞いで、軸状弁体１２の軸方向の一方への移動操作で注入路３と接続路６とが連通している第１状態に切り換えておくことにより、薬液を循環パイプＢ内に注入することができるとともに、第２連通路１５に付着している付着物を除去することもできる。
【００２６】
そして、注入路３の周面に付着した付着物を除去するときは、循環パイプＢ内の水が挿通路９を通して漏れ出さないように第１状態に切り換えたままプラグ２２を外して、軸部材１９を挿通路９の途中まで挿通してから、図４，図６に示すように、軸状弁体１２の移動操作で注入路３と挿通路９とが連通している第２状態に切り換えて、軸部材１９を注入路３内に押し込むことによって付着物を除去することができるとともに、第１連通路１４に付着している付着物を除去することも、接続具１０をハウジング１から外して、接続具１０や接続路６を保守点検することもでき、更には、図２に示すように、注入路３と接続路６と挿通路９とをその外周面で塞ぎ、かつ、第１連通路１４と第２連通路１５との双方が嵌合孔１３の外方に露出する状態に切り換えて、第１連通路１４や第２連通路１５に付着している付着物を除去するなどのメンテナンス作業を、注入路に付着している付着物を掻き取り具７で掻き取る作業に特に関連させること無く、実施することができる。
【００２７】
〔第２実施形態〕
図７，図８は、本発明に係る薬液注入装置Ａの別実施形態を示し、注入路３を形成してある硬質塩化ビニル樹脂製の筒部２を硬質塩化ビニル樹脂製のハウジング１に着脱自在に螺着するとともに、接続路６と挿通路９及び軸状弁体１２の嵌合孔１３をそのハウジング１に貫通形成し、抜け止め用の円形のフランジ１７ａ，１７ｂを両端に設けてある軸状弁体１２を嵌合孔１３に軸方向に移動自在に嵌合して、軸状弁体１２の軸方向への移動操作で、第１状態と第２状態とに切換操作自在な切換手段１１を設けてある。
【００２８】
前記軸状弁体１２は、横断面形状が円弧状の一つの円弧状側面１２ａと、周方向で隣り合う面どうしが互いに直交する三つの扁平側面１２ｂとを備えた横断面が略四角の軸状に形成してあり、互いに直交する二つの扁平側面１２ｂに亘って貫通するＬ字状の第１連通路１４と、互いに対向する方向の二つの扁平側面１２ｂに亘って貫通する直線状の第２連通路１５とを軸方向に間隔を隔てて形成してある。
【００２９】
前記接続路６と挿通路９とを嵌合孔１３の内周面に開口させるとともに、筒部２を螺着する雌ねじ孔２６を挿通路９と同芯状に対向するように嵌合孔１３の内周面に開口させて、軸状弁体１２を抜け止め状態で、かつ、回転を阻止する状態で嵌合してある。
【００３０】
そして、図９に示すように、一端側のフランジ１７ａがハウジング１に接当する弁体移動範囲の一端側に軸方向に移動させることにより、注入路３と接続路６とが第１連通路１４を介してＬ字状に連通する第１状態に切り換わり、図１０に示すように、他端側のフランジ１７ｂがハウジング１に接当する弁体移動範囲の他端側に軸方向に移動させることにより、注入路３と挿通路９とが第２連通路１５を介して同芯状に連通する第２状態に切り換わるように構成してある。
【００３１】
また、軸状弁体１２は、図９に示すように、第１状態に切り換えるに伴って第２連通路１５がハウジング１の外側に露出し、図１０に示すように、第２状態に切り換えるに伴って第１連通路１４がハウジング１の外方に露出し、また、図８に示すように、注入路３と接続路６と挿通路９とをその外周面で塞ぎ、かつ、第１連通路１４と第２連通路１５との双方を嵌合孔１３の内周面で塞ぐ状態にも切換可能に設けてある。
【００３２】
また、掻き取り具７は、掻き取り部２７と押し引き操作用の軸部材１９とをチタン合金で同芯状に一体形成してあり、掻き取り部２７を注入路３に摺動移動自在に嵌合可能な円柱状に形成するとともに、軸部材１９を掻き取り部２７よりも小径の円柱状に形成し、軸部材１９の一端側に握り部１８を螺着固定してある。
【００３３】
そして、挿通路９に装着したグランドパッキン２０の押さえ具２１に、軸部材１９をその軸芯方向に移動自在に、かつ、掻き取り部２７との接当で抜け止めできるように嵌合し、その押さえ具２１をハウジング１に着脱自在に螺着して、掻き取り具７が循環パイプＢ内の水圧でハウジング１から抜け出てしまうような事態を防止できるように、押さえ具２１をハウジング１に螺着したままで、掻き取り具７を管外側から押し引き移動操作できるように設けてある。
その他の構成は第１実施形態と同様である。
【００３４】
〔第３実施形態〕
図１１は、本発明に係る薬液注入装置Ａの別実施形態を示し、図１２〜図１５に示すように、注入路３を形成してある硬質塩化ビニル樹脂製の筒部２を着脱自在に螺合可能な注入路用雌ねじ孔２８と、挿通路９を形成する硬質塩化ビニル樹脂製のプラグ２９を着脱自在に螺合可能な挿通路用雌ねじ孔３０と、接続路６とを硬質塩化ビニル樹脂製のハウジング１に形成するとともに、注入路用雌ねじ孔２８と挿通路用雌ねじ孔３０と接続路６とが内周面に開口する円筒状の弁体装着孔３１をそのハウジング１に形成し、弁体装着孔３１に同芯状に装着した回転操作式の円柱状弁体３２の管外側からの回転操作で、第１状態と第２状態とに切換操作自在な切換手段１１を設けてある。
【００３５】
前記弁体３２は、注入路３と接続路６とを連通可能な第１連通路１４と、注入路３と挿通路９とを同芯状に連通可能で、かつ、注入路３及び挿通路９と同径の直線状の第２連通路１５とを、第２連通路１５の途中に第１連通路１４が連通するＴ字形に径方向に貫通形成し、回転操作用の操作軸部材３３を同芯状に設けてある。
【００３６】
前記ハウジング１に、弁体３２を弁体装着孔３１に出し入れ自在な開口部３４を弁体装着孔３１の一端側に同芯状に連通するように形成するとともに、弁体３２の操作軸部材３３を回転操作自在に嵌合する軸孔３５を弁体装着孔３１の他端側に同芯状に連通するように形成して、開口部３４を通して、操作軸部材３３が軸孔３５に挿通するように弁体３２を弁体装着孔３１に嵌合した状態で、開口部３４に螺着した押さえ具３６で弁体３２を抜け止めし、テフロンなどのフッ素樹脂製のシール用シート３７を弁体３２の軸方向両端面に挟み込んで、弁体３２の回転抵抗を軽減できるようにしてある。
【００３７】
尚、注入路用雌ねじ孔２８と挿通路用雌ねじ孔３０と接続路６の各々には、テフロンなどのフッ素樹脂製のシール用Ｏリング３８を弁体３２の周面に接触するように押さえ付けるため筒状ねじ部材３９を螺合してある。
【００３８】
また、掻き取り具７は、第２実施形態と同様に構成してあり、その軸部材１９にプラグ２９を軸方向に移動自在に嵌合して、挿通路用雌ねじ孔３０にねじ込み固定してある。
【００３９】
そして、図１１に示すように、操作軸部材３３に係合した操作レバー４０で弁体３２を回転操作自在に設けるとともに、第１状態に対応する「注入」位置と、第２状態に対応する「洗浄」位置と、注入路３と接続路６との連通を阻止し、かつ、注入路３と挿通路９との連通も阻止する第３状態に対応する「締切」位置とを、操作レバー４０の操作経路に沿うハウジング１外面に表示して、操作レバー４０を「注入」位置に回動させると、図１３に示す第１状態に切り換わり、「洗浄」位置に回動させると、図１４に示す第２状態に切り換わり、「締切」位置に回動させると、図１５に示す第３状態に切り換わるように設けてある。
その他の構成は第１実施形態と同様である。
【００４０】
〔その他の実施形態〕
１．本発明による薬液注入装置は、注入路が接続路に連通する第１状態と、注入路が挿通路に同芯状に連通する第２状態とに管外側から択一的に切換操作自在な切換手段として、第１状態と第２状態とに管外側から択一的に切換操作自在なボール弁を設けてあっても良い。
２．本発明による薬液注入装置は、軸状弁体に形成する第１連通路を周溝で構成しても良い。
３．本発明による薬液注入装置は、掻き取り具を挿通路に常時装着しておいて、必要に応じて挿通路に挿入した操作具で掻き取り具を移動操作して、付着物を掻き取れるように構成しても良い。
４．本発明による薬液注入装置は、掻き取り具とその操作具を挿通路に常時挿入しておいて、必要に応じてその操作具を操作して付着物を掻き取れるように構成しても良い。
５．本発明による薬液注入装置は、湾曲するように形成した挿通路と注入路とが同芯状に連通する第２状態に切換操作自在な切換手段を設けて、弾性的に撓み変形自在なコイル状の金属製操作具などを使用して、掻き取り具を移動操作自在に設けてあっても良い。
６．本発明による薬液注入装置は、切換手段を第１状態又は第２状態に解除自在に固定可能な固定手段を設けてあっても良い。
７．本発明による薬液注入装置は、注入路の周面に付着した藻や貝類等の付着物を掻き取り具で掻き取るように構成したものであっても良い。
【図面の簡単な説明】
【００４１】
【図１】薬液注入装置の斜視図
【図２】薬液注入装置の断面図
【図３】薬液注入装置の流体輸送用管への取り付け状態を示す断面図
【図４】薬液注入装置の流体輸送用管への取り付け状態を示す断面図
【図５】薬液注入装置の流体輸送用管への取り付け状態を示す平面図
【図６】薬液注入装置の流体輸送用管への取り付け状態を示す平面図
【図７】第２実施形態の薬液注入装置を示す斜視図
【図８】第２実施形態の薬液注入装置を示す断面図
【図９】薬液注入装置の流体輸送用管への取り付け状態を示す断面図
【図１０】薬液注入装置の流体輸送用管への取り付け状態を示す断面図
【図１１】第３実施形態の薬液注入装置を示す斜視図
【図１２】第３実施形態の薬液注入装置を示す要部断面図
【図１３】第３実施形態の薬液注入装置を示す要部断面図
【図１４】第３実施形態の薬液注入装置を示す要部断面図
【図１５】第３実施形態の薬液注入装置を示す要部断面図
【符号の説明】
【００４２】
３    注入路
５    供給管
６    接続路
７    掻き取り具
８    操作具
９    挿通路
１１  切換手段
１２  軸状弁体
１３  嵌合孔
１４  第１連通路
１５  第２連通路
３１  弁体装着孔
３２  回転操作式の弁体
Ｂ    流体輸送用管
【図１】
2005238020.tif 000003
【図２】
2005238020.tif 000004
【図３】
2005238020.tif 000005
【図４】
2005238020.tif 000006
【図５】
2005238020.tif 000007
【図６】
2005238020.tif 000008
【図７】
2005238020.tif 000009
【図８】
2005238020.tif 000010
【図９】
2005238020.tif 000011
【図１０】
2005238020.tif 000012
【図１１】
2005238020.tif 000013
【図１２】
2005238020.tif 000014
【図１３】
2005238020.tif 000015
【図１４】
2005238020.tif 000016
【図１５】
2005238020.tif 000017